(57)【要約】【課題】透明部材に干渉することなく枠部材を強固に補強し得ると共に、補強部材の組付けを簡単に行ない得る遊技機を提供する。【解決手段】機前面側に前後に開口する窓部を開設した前枠と、前枠の裏面側に配設される金属製の補強部材２０と、前枠の裏面側に配設されて窓部に臨むガラスユニットとを設ける。そして、前記補強部材２０を、窓部に対応する開口部２１ａが開設され、ガラスユニットに対向する面側の縁部にガラスユニットから離間方向に位置する段差部２５を形成した板状のベース部材２１と、段差部２５に固定される第１固定片３１および第１固定片３１に連設されてベース部材２１から離間する方向に折曲した第１折曲片３３を有する補強板金３０とから構成する。このとき、第１固定片３１の厚み寸法をベース部材２１の厚み寸法以上に設定すると共に、段差部２５の深さ寸法を第１固定片３１の厚み寸法以上に設定する。【選択図】図３
2007097817.tif 000002
【特許請求の範囲】
【請求項１】
機前面側に設けられ、前後に開口する窓部を開設した枠部材と、前記枠部材の裏面側に配設される金属製の補強部材と、前記枠部材の裏面側に配設されて前記窓部に臨む透明部材とを備える遊技機であって、
前記補強部材は、
前記窓部に対応する開口部が開設され、前記透明部材に対向する面側の縁部に透明部材から離間方向に位置する段差部を形成した板状の第１部材と、
前記段差部に固定される固定片および該固定片に連設されて前記第１部材から離間する方向に折曲した折曲片を有する第２部材とからなり、
前記固定片の厚み寸法を前記第１部材の厚み寸法以上に設定すると共に、前記段差部の深さ寸法を固定片の厚み寸法以上に設定した
ことを特徴とする遊技機。
【請求項２】
前記段差部は、前記枠部材を開閉可能に支持するヒンジ手段が配設される縁部に形成されている請求項１記載の遊技機。
【請求項３】
前記折曲片は、前記固定片における前記第１部材の開口部から離間する縁部に形成される請求項１または２記載の遊技機。
【請求項４】
前記段差部の深さ寸法は、前記固定片の厚み寸法に略合致するよう設定され、該段差部に固定片を固定した際に、前記第１部材および固定片の透明部材に対向する面が略同一面上に位置するよう構成されている請求項１〜３の何れかに記載の遊技機。
【発明の詳細な説明】
【技術分野】
【０００１】
本発明は、枠部材の裏面側に透明部材および補強部材が配設された遊技機に関するものである。
【背景技術】
【０００２】
代表的な遊技機であるパチンコ機は、外郭をなす外枠に対し、着脱および開閉可能に中枠が組付けられると共に、該中枠に形成した遊技盤保持部に、所要の遊技領域を画成した遊技盤が保持されている。前記遊技盤には、図柄を変動表示し得る図柄表示装置や、該図柄表示装置の変動開始条件としての始動入賞具が配設されて、前記遊技領域に打ち出されたパチンコ球が前記始動入賞具に入球することにより、図柄表示装置の図柄を変動表示して所要の遊技演出を行なうよう構成される。また、前記中枠の前面側には、前記遊技盤と対応する位置に窓部を開設した前枠(本願では枠部材)が開閉可能に枢支されており、前枠の裏面側に、窓部に臨むようガラスユニット(本願では透明部材)を取り付けることで、遊技盤の遊技領域をパチンコ機の前側から視認し得るようになっている。
【０００３】
ここで、前記前枠は、パチンコ機の前面側に位置することから、所望の装飾を容易に施し得る合成樹脂により形成されるのが一般的である。一方、前記前枠に配設される前記ガラスユニットは、複数枚(一般的には２枚)のガラス板を合成樹脂製の支持枠で一体的に組付けるよう構成された重量物であることから、該前枠の剛性を高める必要がある。そこで、例えば特許文献１には、Ｌ字状やコ字状に折曲形成した補強板を、前記前枠の外周縁部に沿うよう配置すると共に、各補強板を連結固定することで、前枠の剛性を向上させる技術が開示されている。
【特許文献１】特開２００３−１８１０８４号公報
【発明の開示】
【発明が解決しようとする課題】
【０００４】
ところで、近年は、前記図柄表示装置を大型化して、遊技演出の多様化を図る傾向が高まっている。前記図柄表示装置を大型化すると、これに伴って遊技盤が大型化すると共に、該遊技盤を透視保護するガラスユニットの大型化も必要となる。この場合に、前記ガラスユニットが配設される前枠自体の大きさは予め定まっているため、ガラスユニットを大型化すると、当該ガラスユニットを前枠の外周縁部近傍まで延在させる必要が生じ、前記補強板の接合部位にガラスユニットが干渉することにより、ガラスユニットの大型化が阻害される問題がある。これに対し、前記ガラスユニットに干渉しないよう前記補強板の厚み寸法を小さくすると、重量物であるガラスユニットを支持する前枠の剛性の低下を招来する問題がある。
【０００５】
また、前記遊技盤の大型化により、前記前枠に占める窓部の割合が大きくなるため、前枠の剛性の低下を招来する。この場合には、前記前枠に対して裏面全体を覆う大きさの板状のベース板を配設して前枠の剛性を向上することが考えられる。ここで、大型のベース板を設けることにより前枠の重量が増大することから、該ベース板を薄くして軽量化することが望まれるが、ベース板を薄くすることで、剛性の低下を招来することともなる。この場合には、前述した補強板をベース板に更に取り付けることで、必要な剛性を確保することが考えられる。このとき、図７に示すように、ベース板６０におけるガラスユニット３５に対向する面とは反対の面に補強板６２を固定するようにすれば、該ベース板６０と補強板６２との接合部位にガラスユニット３５が干渉するのを防止できるから、該ガラスユニット３５の大型化も実現することが可能となる。ここで、ベース板６０と補強板６２との固定作業に関しては、一般的には作業性の観点から大型のベース板６０を横倒しした状態で補強板６２を固定する。すなわち、図８(a)に示すように、前記補強板６２の固定部位が前記ベース板６０の裏側に隠れる状態で作業する必要があり、両部材６０,６２の位置合わせが困難で作業性に劣る難点がある。一方、図８(b)に示すように、前記ベース板６０および補強板６２を補強板６２側から固定する場合には、小型の補強板６２を移動して作業することができるから、作業性の低下を招来することはない。しかしながら、補強板６２における折曲部位がベース板６０より下方に突出することから、対応した加工装置が必要となる欠点が指摘される。
【０００６】
そこで、本発明は、透明部材に干渉することなく枠部材を強固に補強し得ると共に、簡単に組付け可能な補強部材を有する遊技機を提供することを目的とする。
【課題を解決するための手段】
【０００７】
前記課題を克服し、所期の目的を達成するために、本願の請求項１に係る遊技機は、
機前面側に設けられ、前後に開口する窓部(19a)を開設した枠部材(13)と、前記枠部材(13)の裏面側に配設される金属製の補強部材(20)と、前記枠部材(13)の裏面側に配設されて前記窓部(19a)に臨む透明部材(35)とを備える遊技機であって、
前記補強部材(20)は、
前記窓部(20a)に対応する開口部(21a)が開設され、前記透明部材(35)に対向する面側の縁部に透明部材(35)から離間方向に位置する段差部(25)を形成した板状の第１部材(21)と、
前記段差部(25)に固定される固定片(31)および該固定片(31)に連設されて前記第１部材(21)から離間する方向に折曲した折曲片(33)を有する第２部材(30)とからなり、
前記固定片(31)の厚み寸法(T1)を前記第１部材(21)の厚み寸法(T2)以上に設定すると共に、前記段差部(25)の深さ寸法(D)を固定片(31)の厚み寸法(T1)以上に設定したことを特徴とする。
【０００８】
このように、ベースとなる第１部材の厚み寸法以上の厚み寸法に設定した第２部材の固定片を、該第１部材に固定して補強部材を構成することで、枠部材の部位に応じて補強部材の剛性を変更することができる。すなわち、枠部材の全体的な剛性は第１部材により確保すると共に、枠部材においてより高い剛性が要求される部位については第２部材を設けて補強することができるから、枠部材の効果的な補強をなし得ると共に、軽量化を図り得る。また、第１部材に形成した段差部の深さ寸法を、第２部材の固定片の厚み寸法以上に設定したことで、該段差部に固定片を固定した際に、固定片の透明部材に対向する面が第１部材の透明部材に対向する面から突出しないから、当該固定片に透明部材が干渉することはない。すなわち、第２部材の固定片と重なる位置まで透明部材を大型化することが可能となる。
【０００９】
また、前記第２部材を段差部に位置合わせすることで、該第２部材を第１部材に固定することができる。すなわち、第１部材と第２部材との固定作業に際しては、第１部材に較べて小型の第２部材を移動させて両部材の位置合わせを行ない得るから、作業性の向上を図り得る。また、第２部材の固定作業は、前記第１部材を横倒しして第２部材の折曲片を上方へ突出させた状態で行ない得るから、従来の加工装置をそのまま使用することができ、コストの増大を抑制できる。更に、前記第２部材を折曲形成したことで、第１部材における第２部材の配設部位の剛性をより向上することができる。なお、前記第１部材と第２部材の固定片との間に異物が挿入された場合であっても、該異物の遊技機内部への侵入を前記段差部で阻止し得るから、不正行為防止を図り得る利点がある。
【００１０】
請求項２に係る遊技機は、前記段差部(25)を、前記枠部材(13)を開閉可能に支持するヒンジ手段(40,44)が配設される縁部に形成したことを要旨とする。
【００１１】
このように、前記段差部を、前記枠部材を開閉可能に支持するヒンジ手段が配設される縁部側に形成したことで、枠部材において最も荷重が掛かる部位を補強することができる。
【００１２】
請求項３に係る遊技機は、前記折曲片(33)を、前記固定片(31)における前記第１部材(21)の開口部(21a)から離間する縁部に形成することを要旨とする。
【００１３】
このように、前記折曲片を、前記固定片における前記第１部材の開口部から離間する縁部側に連接するよう形成したことで、該固定片と前後に重なるよう前記透明部材を大きくすることができる。
【００１４】
請求項４に係る遊技機は、前記段差部(25)の深さ寸法(D)は、前記固定片(31)の厚み寸法(T1)に略合致するよう設定され、該段差部(25)に固定片(31)を固定した際に、前記第１部材(21)および固定片(31)の透明部材(35)に対向する面が略同一面上に位置するよう構成されていることを要旨とする。
【００１５】
このように、前記段差部の深さ寸法を、前記固定片の厚み寸法と略合致するよう設定し、該段差部に固定片を固定した際に、第１部材および固定片の透明部材に対向する面が略同一面上に位置するようにしたことで、第１部材の前方への突出量を最小限に抑制できる。また、第１部材および固定片の透明部材に対向する面が略同一面上に位置することで、前記透明部材の前側を第１部材および固定片に当接させ得るから、第１部材と第２部材の固定片との間に異物が挿入された場合であっても、該異物の遊技機内部への侵入を透明部材で阻止でき、不正行為をより確実に防止し得る利点がある。
【発明の効果】
【００１６】
本発明に係る遊技機によれば、透明部材に干渉することなく枠部材を強固に補強し得ると共に、補強部材の組付けを簡単に行ない得る。
【発明を実施するための最良の形態】
【００１７】
次に本発明に係る遊技機につき、好適な実施例を挙げて、添付図面を参照しながら以下詳細に説明する。なお本実施例では、遊技機として、パチンコ球を遊技媒体として使用する一般的なパチンコ機を例にして説明する。なお、以下の説明において左・右とは、特に断りのない限り、図１に示すようにパチンコ機を正面から見た状態において指称するものとする。
【実施例】
【００１８】
実施例に係るパチンコ機１０は、図１に示すように、矩形枠状に形成されて外郭をなす外枠１１の開口前面側に、遊技盤１７を保持した中枠１２が開閉可能に組付けられる。この中枠１２の前面側には、前記遊技盤１７を透視保護するガラスユニット(透明部材)３５を設けた前枠(枠部材)１３が開閉可能に組付けられると共に、該前枠１３の下方にパチンコ球を貯留する下球皿１４を開閉可能に組付けるよう構成される。なお、前記前枠１３の下部位置には、パチンコ球を貯留する上球皿１５が一体的に設けられており、前枠１３の開閉に合わせて上球皿１５も開閉するよう構成されている。また、前記中枠１２における下球皿１４の右側には、回動操作することで前記上球皿１５に貯留したパチンコ球を前記遊技盤１７の盤面に向けて打ち出させるハンドル部材１６が配設されており、該ハンドル部材１６を回動操作することにより所要の遊技を行ない得るようになっている。
【００１９】
実施例に係る前枠１３は、所要の意匠形状に形成されてパチンコ機１０の前面を装飾する合成樹脂製の本体枠１９の裏面側に、金属製の補強部材２０を配設して所要の剛性を確保するよう構成される。そして、前記補強部材２０の裏面側に前記ガラスユニット３５を配置するようになっている。なお、実施例に係るガラスユニット３５は、２枚のガラス板３６を前後方向に所要間隔だけ離間させた状態で保持枠３７により保持されて、単一部材として取扱い得るよう構成されている(図２または図５参照)。また、前記ガラスユニット３５は、保持枠３７の左縁部３７ａ(図２または図５右側の縁部)が後述する第１折曲片３３に近接し、保持枠３７の右縁部３７ｂ(図２または図５左側の縁部)が後述する第２折曲片４９に近接する大きさに形成されている。なお、前記本体枠１９には、前記遊技盤１７に対応する位置に前後に開口する窓部１９ａ(図１参照)が開設されており、該窓部１９ａの下方に前側に膨出するよう前記上球皿１５を一体形成してある。
【００２０】
前記補強部材２０は、図３に示すように、前記本体枠１９に略整合するよう形成された金属製ベース部材(第１部材)２１と、該ベース部材２１に固定される補強板金(第２部材)３０とから構成され、ベース部材２１を本体枠１９の裏側からネジ止め固定するようになっている。なお、前記補強板金３０は、前記前枠１３を開閉自在に枢支するヒンジ手段４０,４４(後述)を配設した縁部側に設けられている。前記ベース部材２１には、前記本体枠１９の窓部１９ａに対応する位置に、該窓部１９ａに略整合する開口寸法に設定された開口部２１ａが開設されており、パチンコ機１０の前側から遊技盤１７を目視し得るよう構成される。なお、前記ベース部材２１における前記開口部２１ａの開口端縁や上下の端縁には、前方に突出する補強リブ２１ｂが設けられて、該ベース部材２１の剛性の向上を図っている。
【００２１】
また、前記ベース部材２１の裏面側における前記開口部２１ａの下方位置には、前記ガラスユニット３５の下端部を支持する第１支持部材２２が配設されると共に、該開口部２１ａの上方位置には、ガラスユニット３５の上端部側を支持する第２支持部材２３が配設される(図２参照)。前記第１および第２支持部材２２,２３の左右端部近傍には、回転式固定具２４が夫々配設されており、第１支持部材２２にガラスユニット３５を載置支持した状態で各回転式固定具２４を回転操作することにより、ガラスユニット３５の下部および上部を固定するようになっている。すなわち、前記ガラスユニット３５をベース部材２１の裏面側に固定することで、前記窓部１９ａにガラスユニット３５が臨むと共に、当該ガラスユニット３５における保持枠３７の前面がベース部材２１の裏面に当接するよう構成されている。なお、前記ガラスユニット３５の固定解除は、前記各回転式固定具２４を固定時とは反対方向に回転操作することにより行なわれる。
【００２２】
図３に示すように、前記ベース部材２１の左縁部(図３においては右縁部)には、本体枠１９側に段差状に退避した段差部２５が、該縁部の全長に亘って延在するよう形成される。なお、前記段差部２５は、前記ガラスユニット３５から離間する方向(すなわち本体枠１９側)に位置している(図６参照)。ここで、前記段差部２５は、前記ベース部材２１の左端部に沿って一定の幅寸法で設けられる第１領域２５ａと、該ベース部材２１の上下の端部に夫々設けられて第１領域２５ａに較べて左右の幅寸法を大きく設定した第２領域２５ｂ,２５ｂとを有し、該第１領域２５ａおよび各第２領域２５ｂの夫々に、前後方向に貫通する第１の固定孔２６が複数穿設されている。なお、前記段差部２５の前方への突出寸法は、前記補強リブ２１ｂの前方への突出寸法より小さく設定されている(図６参照)。
【００２３】
前記補強板金３０は、図３〜図５に示すように、前記ベース部材２１の段差部２５に当接する第１固定片(固定片)３１と、該第１固定片３１の端縁に連設されてベース部材２１から離間する方向に延在する第１折曲片(折曲片)３３とを一体的に折曲形成している。なお、実施例では、前記第１固定片３１と第１折曲片３３とが略直交するようになっている。前記第１固定片３１は、前記段差部２５における第１領域２５ａの幅寸法に略合致する基部３１ａと、段差部２５における各第２領域２５ｂの幅寸法に略合致する上下の幅広部３１ｂ,３１ｂとを有し、該第１固定片３１を段差部２５に当接させた際には、基部３１ａおよび各幅広部３１ｂの夫々が対応する第１領域２５ａおよび各第２領域２５ｂに整合するようになっている。すなわち、前記第１固定片３１を段差部２５に整合させた状態では、前記上下の幅広部３１ｂ,３１ｂが前記第２領域２５ｂの段差部位に係合して、補強板金３０の上下方向への移動を規制するようになっている。
【００２４】
なお、前記第１固定片３１(基部３１ａおよび幅広部３１ｂ)には、前記段差部２５に整合させた状態で前記各第１の固定孔２６と前後に整列する位置に第２の固定孔３２を穿設してある(図３には幅広部３１ｂの上下の端部に穿設した第２の固定孔３２のみを図示してある)。そして、前記ベース部材２１の第１の固定孔２６と、前記第１固定片３１の第２の固定孔３２とを整列させた状態で、リベット等の固定部材５０を介して両部材２１,３１を着脱不能に固定するようになっている。なお、前記第１折曲片３３は、前記第１固定片３１における前記開口部２１ａから離間する縁部に連設するよう構成されて、該第１折曲片３３がベース部材２１から後方へ突出する状態で、その左縁部に沿って延在するようになっている。
【００２５】
また、実施例では、図６に示すように、前記第１固定片３１の厚み寸法Ｔ1を、前記ベース部材２１の厚み寸法Ｔ2以上に設定する(実施例では厚み寸法Ｔ1を厚み寸法Ｔ2の２倍程度に設定してある)と共に、ベース部材２１の裏面から段差部２５までの深さ寸法Ｄは、前記第１固定片３１の厚み寸法Ｔ1に略合致するよう設定されている。すなわち、前記第１固定片３１を段差部２５に固定した際に、ベース部材２１および第１固定片３１の裏面(ガラスユニット３５に対向する面)が略同一面上に位置するよう構成されている。これにより、前記ガラスユニット３５は、前記第１固定片３１と前後に重なる大きさに形成され、ベース部材２１と補強板金３０との継目部分をガラスユニット３５で覆うようになっている(図５または図６参照)。ここで、前記第１固定片３１の裏面が前記ベース部材２１の裏面と略同一面上に位置しているため、該ベース部材２１の裏面側に固定した前記ガラスユニット３５における保持枠３７の前面が第１固定片３１の裏面にも当接する。
【００２６】
また、前記前枠１３に設けられるヒンジ手段としては、前記段差部２５の上端部における前記本体枠１９側に設けられて前枠１３の上部を枢支する上支持部４０と、前記第１固定片３１の下端部に折曲形成されて前枠１３の下部を枢支する下支持部４４とから構成される。前記上支持部４０は、前記ベース部材２１(段差部２５)の前面に当接する固定部４１と、該固定部４１の上下の端縁から前方へ突出する受部４２,４２とからなる略コ字状に形成されて、該受部４２,４２に上下方向に移動可能な支持ピン４３が設けられている。前記支持ピン４３は、バネ等の付勢手段(図示せず)の付勢力により常には上側の受部４２から上方に突出するよう構成され、前記中枠１２の左上端部に設けた上部連結金具１２ａ(図１参照)の軸孔(図示せず)に挿入し得るようになっている。一方、前記下支持部４４は、前記第１固定片３１の下端部から前方へ突出するよう折曲形成されて、該下支持部４４に上下に貫通する軸孔４５を穿設してある。前記下支持部４４の軸孔４５には、前記中枠１２の左下部位置に形成した下部連結金具１２ｂ(図１参照)の支軸(図示せず)を挿通するようになっている。すなわち、前記支持ピン４３を前記上部連結金具１２ａの軸孔に挿入すると共に、前記下支持部４４の軸孔４５に下部連結金具１２ｂの支軸を挿入することで、前枠１３が開閉し得るよう組付けられる。
【００２７】
更に、前記ベース部材２１の裏面側には、その右縁部(図２〜図５においては左縁部)に沿って施錠金具４７が配設されている。前記施錠金具４７は、前記ベース部材２１に当接する第２固定片４８と、該第２固定片４８の一端縁に連設してベース部材２１から離間する方向に延在する第２折曲片４９とからＬ字状に形成され、前述した補強板金３０の固定と同様に、リベット等の固定部材５０を介してベース部材２１と第２固定片４８を着脱不能に固定している。なお、前記施錠金具４７(第２固定片４８および第２折曲片４９)の厚み寸法は、前記ベース部材２１の厚み寸法以上に設定されて、該ベース部材２１の右縁部を補強する機能を備えている。ここで、前記第２折曲片４９は、前記第２固定片４８における前記ベース部材２１の開口部２１ａに近接する縁部に連設されて後方に突出すると共に、該第２折曲片４９の後端部に、ベース部材２１の右縁部(図２〜図５における左縁部)側へ突出する施錠片４９ａ,４９ａ,４９ａを折曲形成してある。すなわち、前記中枠１２に設けた施錠手段１８(図１参照)の係合フック(図示せず)が施錠片４９ａ,４９ａ,４９ａに係合することで、前枠１３を閉成状態で保持し得るようになっている。
【００２８】
〔実施例の作用〕
次に、実施例に係るパチンコ機１０の作用につき説明する。
【００２９】
遊技盤１７を大型化して遊技演出の多様化を図る場合には、該遊技盤１７を前面側から視認し得るよう本体枠１９(前枠１３)の窓部１９ａを大きくする必要があり、該窓部１９ａに臨むガラスユニット３５も大型化して重量が大きくなる。一方、前記本体枠１９(前枠１３)における窓部１９ａの割合が大きくなることで本体枠１９(前枠１３)の剛性は低下するため、重量物となるガラスユニット３５を設けると本体枠１９(前枠１３)に変形等の不具合を生じ易くなる。実施例では、前記本体枠１９の裏面側に、該本体枠１９に略整合する大きさに形成した金属製のベース部材２１を配設したから、本体枠１９に開設する窓部１９ａの割合が大きくなった場合でも、当該本体枠１９に要求される剛性を確保することができる。また、前記ベース部材２１の外周縁部および開口縁部の夫々に補強リブ２１ｂを夫々形成したことで、ベース部材２１の全体的な剛性の向上に寄与し得る。
【００３０】
なお、前記本体枠１９自体の厚みを大きくしたり、本体枠１９に合成樹脂製の補強部材を別途配設したりすることでも該本体枠１９の剛性を向上させることはできるが、この場合には、当該本体枠１９の大型化や重量化を招来する問題が新たに生ずる。従って、実施例のように、合成樹脂材に較べてより高い剛性を発揮し得る金属製のベース部材２１を本体枠１９に設けることで、合成樹脂製部材により本体枠１９を補強して同程度の剛性を確保する場合と較べて、本体枠１９の薄型化および軽量化に寄与し得る利点がある。
【００３１】
また、前記ベース部材２１に補強板金３０を別途固定するよう構成したから、該ベース部材２１の剛性の向上を図り得る。すなわち、本体枠１９(前枠１３)の全体的な剛性はベース部材２１により確保すると共に、本体枠１９(前枠１３)においてより高い剛性が要求される部位については補強板金３０により補強することができるから、本体枠１９(前枠１３)の部位に応じた効果的な補強をなし得る。実施例では、本体枠１９(前枠１３)を開閉可能に支持するヒンジ手段４０,４４を配設した左縁部側に前記補強板金３０を設けるよう構成したことで、本体枠１９(前枠１３)において最も荷重が掛かり、より高い剛性が要求される部位が効果的に補強される。また、ヒンジ手段４０,４４が設けられるベース部材２１の左縁部に要求される剛性を、該ベース部材２１自体の厚み寸法を大きくすることで確保する場合には、当該ベース部材２１が不必要に大型化して本体枠１９(前枠１３)の重量化を招来する。これに対して、実施例のように、前記本体枠１９(前枠１３)の部位に応じてベース部材２１に補強板金３０を配設するようにしたから、ベース部材２１の薄型化・軽量化を図り得る。
【００３２】
なお、前記補強板金３０(第１固定片３１)の厚み寸法Ｔ1を、前記ベース部材２１の厚み寸法Ｔ2以上に設定したことで、ベース部材２１の厚み寸法Ｔ2を最大限薄くして軽量化を図りつつ、本体枠１９(前枠１３)の部位に応じて必要な剛性を確保することができる。また、実施例では、前記ベース部材２１に形成した段差部２５に単一の補強板金３０を配設して補強するよう構成してあるから、該段差部２５に複数の補強部材を配設して補強する構成と較べて、ベース部材２１の剛性をより向上させ得る利点がある。更に、前記補強板金３０を、ベース部材２１に固定される第１固定片３１に対して略直角に折曲された第１折曲片３３を形成したことで、ベース部材２１における補強板金３０の配設部位の剛性をより向上することができる。
【００３３】
前記ベース部材２１に段差部２５を形成して、該段差部２５に補強板金３０の第１固定片３１を整合させることで、ベース部材２１の第１の固定孔２６と、該第１固定片３１の第２の固定孔３２とが整列するよう構成したから、該補強板金３０の固定作業を容易に行なうことができる。このとき、前記第１固定片３１の上下の端部に左右方向の幅寸法が大きな幅広部３１ｂ,３１ｂを設け、該第１固定片３１を段差部２５に整合させた際に幅広部３１ｂが第１固定片３１の上下方向の位置規制を行なうよう構成したから、ベース部材２１の第１の固定孔２６と、第１固定片３１の第２の固定片３２とを容易に整列させることができる。また、ベース部材２１と補強板金３０との固定作業に際しては、ベース部材２１に較べて小型の補強板金３０を移動させて両部材２１,３０の位置合わせを行ない得るから、作業性の向上を図り得る。また、補強板金３０の固定作業は、前記ベース部材２１を横倒しして補強板金３０の第１折曲片３３を上方へ突出させた状態で行ない得るから、従来の加工装置をそのまま使用することができ、コストの増大を抑制できる。
【００３４】
ベース部材２１に形成した段差部２５の深さ寸法Ｄを、補強板金３０の第１固定片３１の厚み寸法Ｔ1と略合致するよう設定したことで、該段差部２５に第１固定片３１を固定した際に、ベース部材２１および第１固定片３１のガラスユニット３５に対向する面が略同一面上に位置して、第１固定片３１のガラスユニット３５に対向する面がベース部材２１のガラスユニット３５に対向する面から突出するのを防止できる。すなわち、前記ベース部材２１に配設したガラスユニット３５が前記第１固定片３１に干渉することはないから、該第１固定片３１と重なる位置までガラスユニット３５を大型化することが可能となる。換言すれば、ガラスユニット３５を大型化することで、前記本体枠１９に形成する窓部１９ａ(ベース部材２１に開設する開口部２１ａ)をより大きくすることが可能となる。また、前記ベース部材２１および第１固定片３１が略同一面上に位置するようにしたことで、段差部２５がベース部材２１の前方へ突出するのを最小限に抑制できる。
【００３５】
更に、前記第１折曲片３３を、前記第１固定片３１における前記ベース部材２１の開口部２１ａから離間する縁部側に連接するよう形成したことで、該第１固定片３１と前後に重なるよう前記ガラスユニット３５を大きくすることができる。なお、前記ベース部材２１と補強板金３０の第１固定片３１との間に異物が挿入された場合であっても、該異物の遊技機内部への侵入を前記段差部２５で阻止し得るから、不正行為防止を図り得る利点がある。また、実施例では、前記補強板金３０(第１固定片３１)とベース部材２１との接合部位を前記ガラスユニット３５で覆うと共に、該ガラスユニット３５の前面がベース部材２１の裏面および第１固定片３１の裏面に当接するよう構成してあるから、仮に前記ベース部材２１と補強板金３０の第１固定片３１との間に挿入された異物が内側に侵入した場合であっても、当該ガラスユニット３５(保持枠３７)により異物の侵入を阻止でき、より確実に不正行為を防止し得る。
【００３６】
〔変更例〕
なお、遊技機の構成としては、実施例のものに限らず、種々の変更が可能である。例えば、実施例では、第１部材の縁部の全長に亘って段差部を形成し、該段差部に単一の第２部材が延在するよう構成したが、これに限られるものではなく、第１部材における縁部の離間する位置に複数の段差部を形成して、該各段差部に対応して第２部材を設けるよう構成してもよい。また、実施例では前記第１部材の左縁部に段差部を形成した場合を示したが、これに限られるものではなく、第１部材の右縁部や、上下の縁部に段差部を形成することもできる。更に、第１部材の一縁部に段差部を形成する構成に限られるものではなく、第１部材の複数の縁部に段差部を形成するようにしてもよい。すなわち、第１部材の剛性を向上させる必要性が高い部位に応じて段差部を形成し、該段差部に第２部材を設けるようにすればよい。例えば、第１部材の下縁部に段差部を形成する場合には、重量物である透明部材を支持部材で支持する場合に、該第１部材に変形等の不具合を生ずるのを効果的に抑制し得る利点がある。
【００３７】
また、実施例では、前記第２部材に設けられる固定片の厚み寸法を、前記第１部材の厚み寸法以上に設定すると共に、前記段差部の深さ寸法を固定片の厚み寸法に略合致するよう設定したが、該段差部の深さ寸法を固定片の厚み寸法以上に設定すれば、前記透明部材が固定片に干渉するのを防止できるから、実施例と同様に、透明部材の大型化を図り得る利点がある。
【００３８】
実施例では、施錠金具の第２折曲片を、第１部材に固定する第２固定片における第１部材の開口部に近接する縁部に形成するよう構成したが、該第２折曲片を第２固定片における第１部材の開口部から離間する縁部に形成するようにしてもよい。この場合に、該施錠金具の配設位置に第２の段差部を形成し、該第２の段差部の深さ寸法を第２固定片の厚み寸法以上に設定すれば、透明部材を第１部材における施錠金具側の端部に近接するより大型のものを採用することが可能となる。なお、この場合には、実施例に係る段差部と補強板金の固定片との関係と同様に、前記第２の段差部の深さ寸法を前記第２固定片の厚み寸法に略合致するよう設定して、該第２の段差部に第２固定片を固定した際に、第１部材および第２固定片の透明部材に対向する面が略同一面上に位置するよう構成することがより好ましい。
【００３９】
また、枠部材を開閉可能に枢支するヒンジ手段の構成に関しては、実施例のものに限定されるものではなく、必要に応じて任意の構成のヒンジ手段を採用することができる。すなわち、実施例では、枠部材の上側を枢支するヒンジ手段(上支持部)を補強部材と別体として設けると共に、枠部材の下側を枢支するヒンジ手段(下支持部)を補強部材と一体に形成するようにしたが、枠部材の上側を枢支するヒンジ手段(上支持部)を補強部材と一体的に形成するようにしてもよく、また枠部材の下側を枢支するヒンジ手段(下支持部)を補強部材とは別体として設けるようにしてもよい。
【００４０】
なお、前記透明部材の形状・構成は、実施例に示したものに限定されず、枠部材の窓部を覆い得るよう構成すれば、任意の形状・構成で形成することができる。
【００４１】
実施例では、遊技機としてパチンコ機を例示して説明したが、これに限られるものではなく、機前面側に設けられ、前後に開口する窓部を開設した枠部材と、前記枠部材の裏面側に配設される金属製の補強部材と、前記枠部材の裏面側に配設されて前記窓部に臨む透明部材とを備える遊技機であれば、スロットマシン機やアレンジボール機等の従来公知の各種遊技機を採用し得る。
【００４２】
なお、本発明に係る遊技機に関しては、以下に示す具体的構成に限定することが可能である。
(Ａ) 請求項１〜４の何れかに記載の遊技機に関し、前記第１部材(21)の外周縁部および前記開口部(21a)を開口した開口縁部の夫々に補強リブ(21b)を形成する。
このように、前記第１部材の外周縁部および開口縁部の夫々に補強リブを形成することで、第１部材の全体的な剛性の向上に寄与し得る。
【図面の簡単な説明】
【００４３】
【図１】本発明の実施例に係るパチンコ機を示す正面図である。
【図２】実施例に係るパチンコ機を、前枠を開放した状態で示す斜視図である。
【図３】実施例に係る補強部材を裏面側から視た状態で示す斜視図である。
【図４】実施例に係る補強部材を示す背面図である。
【図５】実施例に係るガラスユニットを取り付けた補強部材の背面図であって、各隅部近傍を拡大して示す。
【図６】実施例に係る段差部に補強金具を取り付けた状態を示す横断平面図である。
【図７】従来技術に係るベース板に補強板を取り付けた状態を示す横断平面図である。
【図８】従来技術に係るベース板に補強板を示す横断平面図であって、(a)は補強板に対してベース板を位置合わせして取り付ける状態を示し、(b)はベース板に対して補強板を位置合わせして取り付ける状態を示す。
【符号の説明】
【００４４】
１３  前枠(枠部材)，１９ａ  窓部，２０  補強部材，２１  ベース部材(第１部材)
２５  段差部，３０  補強金具，３１  第１固定片(固定片)
３３  第１折曲片(折曲片) ，３５  ガラスユニット(透明部材)
４０  上支持部(ヒンジ手段) ，４４  下支持部(ヒンジ手段)
Ｔ1  固定片の厚み寸法，Ｔ2  ベース部材の厚み寸法，Ｄ  段差部の深さ寸法
【図１】
2007097817.tif 000003
【図２】
2007097817.tif 000004
【図３】
2007097817.tif 000005
【図４】
2007097817.tif 000006
【図５】
2007097817.tif 000007
【図６】
2007097817.tif 000008
【図７】
2007097817.tif 000009
【図８】
2007097817.tif 000010